(57)【要約】【課題】側板の展開が容易で、展開すると、内容物がこぼれない、持ちやすい等の皿としての機能を発揮する。【解決手段】平面視四角形の底板１０１の各辺に側板１０２〜１０５をそれぞれ谷折り線を介して連設し、側板１０２，１０３に側板１０４，１０５の内側に折り曲げられるフラップ１０８〜１１２を谷折り線を介して連設し、該フラップの先端側を前記他方の側板に重ねて貼着し、該フラップに他方の側板に沿う谷折り線を設けるとともに、該谷折り線と前記連設側の谷折り線との間に山折り線を設け、各側板及び各フラップを展開した際に、各谷折れ線及び山折れ線の開きが前記貼着に規制されて各側板及び各フラップが前記底板の周囲に斜め上方に立ちあがって皿状になる食品包装容器である。【選択図】図１
2010030688.tif 000002
【特許請求の範囲】
【請求項１】
平面視多角形の底板の各辺にそれぞれ谷折り線を介して側板を連設し、隣接する側板のいずれか一方の側板に他方の側板内側に折り曲げられるフラップを谷折り線を介して連設した食品包装箱において、前記フラップの先端側を前記他方の側板に重ねて貼着し、該フラップに他方の側板に沿う谷折り線を設けるとともに、該谷折り線と前記連設側の谷折り線との間に山折り線を設け、各側板及び各フラップを展開した際に、各谷折れ線及び山折れ線の開きが前記貼着に規制されて各側板及び各フラップが前記底板の周囲に斜め上方に立ちあがって皿状になることを特徴とする食品包装箱。
【発明の詳細な説明】
【技術分野】
【０００１】
本発明は、箱を展開すると皿としての機能を発揮する食品包装箱に関する。
【背景技術】
【０００２】
食品包装箱としては、平面視四角形の底板の各辺に側板をそれぞれ谷折り線を介して連設し、隣接する側板のいずれか一方の側板に他方の側板内側に折り曲げられるフラップを谷折り線を介して連設した組立箱がよく使用されている。また、例えば、ケーキ等の包装箱として、四角形の底板の各辺にそれぞれ谷折り線を介して連設される複数の側板と、各側板間に谷折り線を介して連設される補助片と、前記側板の対向する一対の側板にそれぞれ谷折り線を介して連設される蓋板と、残りの対向する一対の側板にそれぞれ折り線を介して連設される吊り下げ片とを備えたものもある（例えば、特許文献１参照。）。
【先行技術文献】
【特許文献】
【０００３】
【特許文献１】特開２０００−３１８７２５号公報（第２〜４頁、図１〜４）
【発明の概要】
【発明が解決しようとする課題】
【０００４】
しかしながら、上述の従来の箱は、輸送・貯蔵に適した機能を有するものの、箱を展開すると平板状になるので、収納された食品を別の皿に移す必要がある。例えば、学校給食のデザートとして配膳される１個箱入りケーキでは、生徒がケーキを持って別の皿に移して食べているので、非衛生的であった。また、アウトドアでの喫食の際には、箱を持って食べるので、食べにくく、収納された食品がこぼれたりすることがある。
【０００５】
そこで本発明は、側板の展開が容易で、展開すると、内容物がこぼれない、持ちやすい等の皿としての機能を発揮する食品包装箱を提供することを目的としている。
【課題を解決するための手段】
【０００６】
上記した目的を達成するため、本発明は、平面視多角形の底板の各辺にそれぞれ谷折り線を介して側板を連設し、隣接する側板のいずれか一方の側板に他方の側板内側に折り曲げられるフラップを谷折り線を介して連設した食品包装箱において、前記フラップの先端側を前記他方の側板に重ねて貼着し、該フラップに他方の側板に沿う谷折り線を設けるとともに、該谷折り線と前記連設側の谷折り線との間に山折り線を設け、各側板及び各フラップを展開した際に、各谷折れ線及び山折れ線の開きが前記貼着に規制されて各側板及び各フラップが前記底板の周囲に斜め上方に立ちあがって皿状になることを特徴としている。
【発明の効果】
【０００７】
本発明の食品包装箱は、展開が容易で、展開すると、底面に空隙がなくて内容物がこぼれない皿状にすることができる。したがって、別の皿を用意する必要がない。また、持ち運びやすく、収納された食品に手を触れずに皿にすることができるから衛生的である。さらに、底板、側板及びフラップの内側に絵を描くことにより、絵皿としての演出ができる。
【図面の簡単な説明】
【０００８】
【図１】本発明の一実施形態例の箱の展開図である。
【図２】同じく箱に組み立てる途中の斜視図である。
【図３】同じく箱として組み立てられた状態の斜視図である。
【図４】同じく皿として組み立てられた状態の斜視図である。
【発明を実施するための形態】
【０００９】
食品包装箱１００は、長方形の底板１０１の対向する長片の一方の辺に谷折り線１０１ａを介して四角形の第１側板１０２を、他方の辺に谷折り線１０１ｂを介して四角形の第２側板１０３をそれぞれ連設するとともに、対向する短辺の一方の辺に谷折り線１０１ｃを介して四角形の第３側板１０４を、他方の辺に谷折り線１０１ｄを介して四角形の第４側板１０５をそれぞれ連設し、さらに、第３側板１０４に谷折り線１０４ａを介して蓋板１０６を、第４側板１０５に谷折り線１０５ａを介して蓋板１０７をそれぞれ連設している。蓋板１０６，１０７は、それぞれの先端に互いに係合するための係止溝１０６ａ，１０７ａを設けている。
【００１０】
第１側板１０２は、隣接する第３側板１０４側に谷折り線１０２ａを介して扇形のフラップ１０８を、隣接する第４側板１０５側に谷折り線１０２ｂを介して扇形のフラップ１０９を、残りの辺に谷折り線１０２ｃを介して折り曲げ片１１０をそれぞれ連設している。また、第２側板１０３は、隣接する第３側板１０４側に谷折り線１０３ａを介して扇形のフラップ１１１を、隣接する第４側板１０５側に谷折り線１０３ｂを介して扇形のフラップ１１２を、残りの辺に谷折り線１０３ｃを介して折り曲げ片１１３をそれぞれ連設している。
【００１１】
フラップ１０８は、先端側となる第３側板１０４との対向辺１０８ａを第３側板１０４の辺１０４ｂよりも内側に重ねて貼着され、同様に、フラップ１１１も、先端側となる第３側板１０４との対向辺１１１ａを第３側板１０４の辺１０４ｃよりも内側に重ねて貼着されている。また、フラップ１０９も、先端側となる第４側板１０５との対向辺１０９ａを第４側板１０５の辺１０５ｂよりも内側に重ねて貼着され、同様に、フラップ１１２も、先端側となる第４側板１０５との対向辺１１２ａを第４側板１０５の辺１０５ｃよりも内側に重ねて貼着されている。これにより、各側板１０２，１０３，１０４，１０５及び各フラップ１０８，１０９，１１１，１１２は、底板１０１の周囲に斜め上方に立ち上がった状態となる。
【００１２】
そして、フラップ１０８には、第３側板１０４の辺１０４ｂに沿って谷折り線１０８ｂが設けられるとともに、該谷折り線１０８ｂと第１側板１０２との谷折り線１０２ａとの間に山折り線１０８ｃが設けられている。同様に、フラップ１１１にも、第３側板１０４の辺１０４ｃに沿って谷折り線１１１ｂが設けられるとともに、該谷折り線１１１ｂと第２側板１０３との谷折り線１０３ａとの間に山折り線１１１ｃが設けられ、フラップ１０９も、第４側板１０５の辺１０５ｂに沿って谷折り線１０９ｂが設けられるとともに、該谷折り線１０９ｂと第１側板１０２との谷折り線１０２ｂとの間に山折り線１０９ｃが設けられ、フラップ１１２も、第４側板１０５の辺１０５ｃに沿って谷折り線１１２ｂが設けられるとともに、該谷折り線１１２ｂと第２側板１０３との谷折り線１０３ｂとの間に山折り線１１２ｃが設けられている。
【００１３】
この食品包装箱１００は、フラップ１０８を山折り線１０８ｃにて山折りしながら、谷折り線１０２ａ及び谷折り線１０８ｂにて箱内側へ谷折りするとともに、残りの各フラップ１０９，１１１，１１２を山折り線１０９ｃ，１１１ｃ，１１２ｃにて山折りしながら、谷折り線１０２ｂ及び谷折り線１０９ｂ、谷折り線１０３ａ及び谷折り線１１１ｂ、谷折り線１０３ｂ及び谷折り線１１２ｂにて箱内側へ谷折りして、折り畳まれた各フラップ１０８，１０９，１１１，１１２を第３側板１０４及び第４側板１０５の内側に寄せていくと、第１側板１０２、第２側板１０３、第３側板１０４及び第４側板１０５が底板１０１の周囲に直角に立ち上がる。この状態で、各側板１０２，１０３，１０４，１０５で囲まれる空間内にケーキＣを入れ、折り曲げ片１１０，１１３を箱内側へ折り曲げ、さらに蓋板１０６，１０７を箱内側へ折り曲げて、蓋板１０６，１０７の係止溝１０６ａ，１０７ａ同士を係合させると、食品包装箱１００が直方体形の箱に組み立てられる。
【００１４】
皿として使用する場合は、蓋板１０６，１０７の係合を解いて蓋板１０６，１０７を広げると、各側板１０２，１０３，１０４，１０５及び各フラップ１０８，１０９，１１１，１１２は、底板１０１の周囲に上方へ広がるテーパー状の縁を形成して皿状になる。
【００１５】
なお、本実施形態例では、平面視四角形の底板を有する食品包装箱で本発明を説明したが、平面視三角形、五角形の底板を有する食品包装箱にも適用可能である。
【符号の説明】
【００１６】
１００…食品包装箱、１０１…底板、１０２…第１側板、１０３…第２側板、１０４…第３側板、１０５…第４側板、１０６，１０７…蓋板、１０８，１０９，１１１，１１２…フラップ
【図１】
2010030688.tif 000003
【図２】
2010030688.tif 000004
【図３】
2010030688.tif 000005
【図４】
2010030688.tif 000006